(57)【要約】【課題】  キャビネット内に配設される、排水トラップ部を備えた排水配管において、排水配管が曲がり部分を有していても、排水口からカンツール法などによって管詰まりを解消することができる排水配管を提供する。【解決手段】  キャビネットＫを有する排水機器の、キャビネットＫ内に備えられる排水配管であって、有底筒状にして、上方に排水機器からの排水が流入する排水口３と、その下端部分に設けた、管体を屈曲させて管トラップとした封水部５と、封水部５からの排水を排出する排出口４と、排水口３から露出する部分に構成した清掃口８と、該清掃口８と排出口４を連通させる傾斜管部６と、から構成されるトラップ本体部２と、前記清掃口８を水密的且つ気密的な状態に閉口する、清掃口８に着脱自在なキャップ体１１と、から構成したことを特徴とする排水配管。【選択図】  図１
2005002792.tif 000002
【特許請求の範囲】
【請求項１】
キャビネット（Ｋ）を有する排水機器の、キャビネット（Ｋ）内に備えられる排水配管であって、
有底筒状にして、上方に排水機器からの排水が流入する排水口（３）と、
その下端部分に設けた、管体を屈曲させて管トラップとした封水部（５）  と、
封水部（５）からの排水を排出する排出口（４）と、
排水口（３）から露出する部分に構成した清掃口（８）と、
該清掃口（８）と排出口（４）を連通させる傾斜管部（６）と、
から構成されるトラップ本体部（２）と、
前記清掃口（８）を水密的且つ気密的な状態に閉口する、清掃口（８）に着脱自在なキャップ体（１１）と、
から構成したことを特徴とする排水配管。
【請求項２】
キャビネット（Ｋ）を有する排水機器の、キャビネット（Ｋ）内に備えられる排水配管であって、
有底筒状にして、上方に排水機器からの排水が流入する排水口（３）を設けると共に、
その下端部分に設けた、管体を屈曲させて管トラップとした封水部（５）を介し、側面方向に排出口（４）を設けてなり、
排水口（３）側面に対して清掃口（８）を設け、
該清掃口（８）と排出口（４）を、傾斜管部（６）にて連通したトラップ本体部（２）と、
清掃口（８）を水密的且つ気密的な状態に閉口する、清掃口（８）に着脱自在なキャップ体（１１）と、から構成したことを特徴とする排水配管。
【請求項３】
任意方向に屈曲する屈曲管部（７）を備え、該屈曲管部（７）の曲がり方向を直下方向とし、更に該屈曲管部（７）と、床下配管とを連通する、ほぼ垂直に配管された縦管部（９ａ）を備えたことを特徴とする請求項１又は請求項２に記載の排水配管。
【請求項４】
任意方向に屈曲する屈曲管部（７）を備え、該屈曲管部（７）の曲がり方向を水平方向とし、更に該屈曲管部（７）と、キャビネット（Ｋ）の側面に沿って床下配管に連通して配設された縦管部（９ａ）とを連通する、ほぼ水平に配管された横管部（９ｂ）を備えたことを特徴とする請求項１乃至請求項３のいずれか１つに記載の排水配管。
【請求項５】
上記傾斜管部（６）を、１つ以上の折れ部分（１０）を介して、段階的に傾斜させたことを特徴とする請求項１乃至請求項４のいずれか１つに記載の排水配管。
【発明の詳細な説明】
【技術分野】
【０００１】
本発明は、流し台や洗面台等、キャビネットを有する排水機器に配設された、排水トラップを備えた排水配管に関するものである。
【背景技術】
【０００２】
従来より、キャビネットを有する、流し台や洗面台等の使用によって排水が生じる各種の生活機器（以下、「排水機器」と呼ぶ）には、使用によって生じた排水を下水側等に排出する排水配管が取り付けられている。これらの排水配管には、単に排水を集めて下水側等に排出するだけの単純な排水配管もあるが、排水の流路中に封水部と呼ばれる必ず排水が溜まる部分を設けて、下水側からの臭気や害虫類が屋内側に進入することを防止する機能を備えた、排水トラップと呼ばれる排水装置を備えて配設された排水配管が良く知られている。以下に従来よく知られた排水配管の配管例を、図面を参照しつつ説明する。図６に示した従来例の配管構造は、キャビネットを有する排水機器である、流し台に排水配管が行われた状態を示すものであって、以下に記載した、流し台、排水トラップ部、縦管部等よりなる。流し台は、底面に排水口を備えたシンク部分と、該シンク部分下方に配置されたキャビネット部、および該キャビネット部の下方に設けられた、袴部と呼ばれる床面上に設置された高さ１０センチ前後の立ち上がりの部分からなり、更に袴部の下方の床下空間には、排水を下水側に排出するための床下配管が行われている。排水トラップ部は流し台の排水口に取り付けられる、有底筒状の部材であって、その底面に排出口を有すると共に、該排出口から円筒上にパイプ部が立ち上がっており、そのパイプ部の上方から、上面に壁を設けた、逆ワン型の筒状部材を被嵌しており、パイプ部の上端から下方に溜まる排水と、筒状部材とによって、排水流路中に封水部と呼ばれる排水が溜まる部分を形成してなり、この封水部に溜まった排水によって、下水からの異臭や害虫類が屋内側に逆流することを防止している。更に該排水トラップ部は、縦管部を介して、排出口と、床下配管部を接続し、排水トラップ部の排水が床下配管から下水側に排出されるように構成されて成る。上記のように構成された排水配管において、シンク内に排水が行われると、排水はシンクに設けられた排水口から、縦管部と、縦管部に接続されている床下配管を介して、最終的に下水などに排出される。
【０００３】
また、最近はキャビネット内のデッドスペースを減少させ、収納空間を効率よく使うために、流し台に図７で示したような排水配管が施される場合が多い。図７に示した従来例の配管構造は、キャビネットを有する排水機器である、流し台に排水配管が行われた状態を示すものであって、以下に記載した、流し台、排水エルボ、排水トラップ部、縦管部等よりなる。流し台は、底面に排水口を備えたシンク部分と、該シンク部分下方に配置されたキャビネット部、および該キャビネット部の下方に設けられた、袴部と呼ばれる床面上に設置された高さ１０センチ前後の立ち上がりの部分からなり、更に袴部の下方の床下空間には、排水を下水側に排出するための床下配管が行われている。排水エルボは流し台の排水口に取り付けられる、有底筒状の部材であって、その底面近傍の側面に、キャビネットの背面方向に向かって排出口を有する。排水トラップ部は管体をＳ字状に屈曲させた形状の部材であって、流し台のキャビネット背面に沿って配置され、上流側はほぼ水平方向に伸びた管体である横管部を介して排水エルボの排出口と接続され、下流側は、排水トラップに接続される縦管部を介して床下配管に接続されてなる。上記のように構成された排水配管において、シンク内に排水が行われると、排水はシンクに設けられた排水口から、横管部、排水トラップ、及び縦管部を介して、床下配管より最終的に下水などに排出される。上記のように構成された排水配管において、シンク内に排水が行われると、排水はシンクに設けられた排水口から、排出口、横管部、排水トラップ部を通過し、縦管部と、縦管部に接続されている床下配管を介して、最終的に下水などに排出される。また、図６に記載した従来例の排水配管であればキャビネットの中央を貫くように配管されていた排水トラップと縦管部が、図７に示した構成の排水配管によればキャビネットの背板に沿って配管されているため、キャビネット内に、より大きな物品を、より効率よくキャビネットの内部に収納できるというメリットがある。
【０００４】
ところで、排水は既に何らかの為に使用された後の水である。そのため、例えば流し台において食器等の洗浄に用いられた排水であれば調理くず等が、また浴室や洗面台、洗濯機などにおいて用いられた排水であれば砂塵や毛髪等が、それぞれ殆どの場合混入している。上記排水装置においては、排水中に混入したこれらの塵芥を排水配管中に排出してしまわないように、排水口に、スリット部を設けて大きな塵芥の進入を防ぐ目皿部材や、排水中の塵芥や毛髪等を捕集するストレーナーなどが配置され、排水中から塵芥を取り除くようにしているが、完全に塵芥を取り除くことは不可能であり、特に大きな塵芥が排水に流入してきた場合、排水配管を閉塞してしまう場合がある。また、塵芥があまり大きな物でない場合でも、排水中に油分などが混入すると、該油分が排水配管の内面にこびり付き、更に上記の塵芥を付着させて大きな固まりとして成長し、排水配管を閉塞してしまう場合がある。
【０００５】
上記の理由等によって排水配管が閉塞してしまった場合、管詰まり箇所が封水部であれば、封水部を構成する円筒部材などを取り外すことで管詰まり箇所を露出させ、上記のような配管の閉塞の原因である塵芥を取り除くことは可能である。しかしながら、実際には管詰まりは排水口よりも下流側で発生する場合がほとんどであるため、上記のような延筒部材を取り外す方法では対応できない場合がほとんどである。そこでこれら配管中での管詰まりに対しては、カンツール法または高圧洗浄法と呼ばれる方法が利用されている。
【０００６】
カンツール法は、可撓性を備えた金属性のコイル線を、排水口から排水配管に押し込んで、管部まり箇所の塵芥に突き当てることで、塵芥を細かくバラバラに破砕し、また塵芥を更に下流に押し流して、排水配管中の管詰まりを解消する方法である。また高圧洗浄法は、耐圧で且つ可撓性を有する高圧洗浄管を排水口から排水配管内に押し込み、管の先端が詰まり箇所に到達してから、高圧洗浄管より水を高圧で放出させ、塵芥をバラバラに細かく破砕し押し流して、排水配管中の管詰まりを解消する方法である。
【発明の開示】
【発明が解決しようとする課題】
【０００７】
しかし、実際には、図６に示した従来例のように縦管部のみから構成されている排水配管の場合はともかく、図７に示した従来例のように屈曲部を多く含む排水配管の場合、排水口から塵芥に至るまでの経路中に、屈曲部等の管体の曲がり部分があるため、図８に示したようにカンツール法のコイル線や、高圧洗浄用の高圧洗浄管が、屈曲部に突き当たってそれ以上先の配管にある塵芥に到達することができず、当然カンツール法や高圧洗浄法を行うことができない、といった問題があった。本発明は上記問題点に鑑み発明されたものであって、キャビネット内に配設される、排水トラップ部を備えた排水配管において、排水配管が屈曲部など管体の曲がり部分を有していても、排水口からカンツール法や高圧洗浄法によって管詰まりを解消することができる排水配管を提供するものである。
【課題を解決するための手段】
【０００８】
請求項１に記載の排水配管は、キャビネット（Ｋ）を有する排水機器の、キャビネット（Ｋ）内に備えられる排水配管であって、有底筒状にして、上方に排水機器からの排水が流入する排水口（３）と、その下端部分に設けた、管体を屈曲させて管トラップとした封水部（５）  と、封水部（５）からの排水を排出する排出口（４）と、排水口（３）から露出する部分に構成した清掃口（８）と、該清掃口（８）と排出口（４）を連通させる傾斜管部（６）と、から構成されるトラップ本体部（２）と、前記清掃口（８）を水密的且つ気密的な状態に閉口する、清掃口（８）に着脱自在なキャップ体（１１）と、から構成したことを特徴とする排水配管である。
【０００９】
請求項２に記載の排水配管は、キャビネット（Ｋ）を有する排水機器の、キャビネット（Ｋ）内に備えられる排水配管であって、有底筒状にして、上方に排水機器からの排水が流入する排水口（３）を設けると共に、その下端部分に設けた、管体を屈曲させて管トラップとした封水部（５）を介し、側面方向に排出口（４）を設けてなり、排水口（３）側面に対して清掃口（８）を設け、該清掃口（８）と排出口（４）を、傾斜管部（６）にて連通したトラップ本体部（２）と、清掃口（８）を水密的且つ気密的な状態に閉口する、清掃口（８）に着脱自在なキャップ体（１１）と、から構成したことを特徴とする排水配管である。
【００１０】
請求項３に記載の排水配管は、任意方向に屈曲する屈曲管部（７）を備え、該屈曲管部（７）の曲がり方向を直下方向とし、更に該屈曲管部（７）と、床下配管とを連通する、ほぼ垂直に配管された縦管部（９ａ）を備えたことを特徴とする前記段落０００８又は段落０００９に記載の排水配管である。
【００１１】
請求項４に記載の排水配管は、任意方向に屈曲する屈曲管部（７）を備え、該屈曲管部（７））の曲がり方向を水平方向とし、更に該屈曲管部（７）と、キャビネット（Ｋ）の側面に沿って床下配管に連通して配設された縦管部（９ａ）とを連通する、ほぼ水平に配管された横管部（９ｂ）を備えたことを特徴とする前記段落０００８乃至段落００１０のいずれか１つに記載の排水配管である。
【００１２】
請求項５に記載の排水配管は、上記傾斜管部（６）を、１つ以上の折れ部分（１０）を介して、段階的に傾斜させたことを特徴とする前記段落０００８乃至段落００１１のいずれか１つに記載の排水配管である。
【発明の効果】
【００１３】
本発明は上記のように構成したため、以下のような優れた効果を奏する。
１）請求項１及び請求項２に記載の本発明においては、キャビネットを備えた排水機器の、キャビネット内に配管される排水配管において、屈曲管部の下流側に清掃部材を容易に挿通することが可能となる。また、清掃口から排水口に向かってバイパス状に傾斜管部を構成したことで、封水部を管トラップにて形成し、封水部を介しては清掃部材を挿通できない構造とした場合でも屈曲管部より下流側に清掃部材を挿通することができる。
２）請求項３に記載の本発明においては、屈曲管部の曲がり方向を直下方向としたことで、屈曲管部よりも下流の縦管部内まで清掃部材を挿通することができる。
３）請求項４に記載の本発明においては、屈曲管部の曲がり方向を水平方向とした場合でも、従来例と同等の清掃性能を維持しつつ、部材の管理においては屈曲管部の曲がり方向を直下方向とした場合と共有化でき、部材管理を容易化し、また部材単価を安価なものとすることができる。
４）請求項５に記載の本発明においては、上記傾斜部分を、１つ以上の折れ部分を介して、段階的に傾斜させても、容易に本発明の目的を達成することができる。
【実施例】
【００１４】
本発明の実施例を、図面を参照しつつ説明する。
図１乃至図３に示した本発明の実施例による排水配管は、キャビネット（Ｋ）を有する排水機器である、流し台（Ｎ）に排水配管が行われた状態を示すものであって、以下に記載した、流し台（Ｎ）、傾斜管部（６）を有する排水トラップ部（１）、縦管部（９ａ）等よりなる。
流し台（Ｎ）は、底面に排水口（３）を備えたシンク部分と、該シンク部分下方に配置されたキャビネット（Ｋ）、および該キャビネット（Ｋ）の下方に設けられた、袴部と呼ばれる床面上に設置された高さ１０センチ前後の立ち上がりの部分からなり、更に袴部の下方の床下空間には、排水を下水側に排出するための床下配管が行われている。
排水トラップ部（１）は有底筒状にして、上方に排水機器からの排水が流入する排水口（３）を設けると共に、その下端部分に設けた、管体をＵ字状に屈曲させて管トラップとした封水部（５）を介し、側面方向に排出口（４）を設けてなり、またその側面の上下方向に対してほぼ中間の高さ位置に、カンツール法のコイル線や高圧洗浄法の高圧洗浄管などの清掃部材（Ｓ）が挿通可能な清掃口（８）を設け、更に該清掃口（８）と排出口（４）を折れ部分（１０）を有する第一傾斜管部（６ｂ）にて連通したトラップ本体部（２）と、該清掃口（８）を、水密的且つ気密的な状態に閉口する、清掃口（８）に取り付けられる着脱自在なキャップ体（１１）と、より構成されてなる。尚、清掃口（８）は、排水口（３）から露出する部分に構成されている。
第二傾斜管部（６ｃ）は排出口（４）と後述する縦管部（９ａ）を接続する部材であって、排出口（４）から水平面に対しておよそ３０度程度の傾斜を形成してなり、また傾斜管部上壁（６ａ）が存在する高さ位置上に、排出口（４）の下端位置が配置される程度の長さを備えて形成されて成る。さらに該第二傾斜管部（６ｃ）は少なくとも外周側の内面に多少の曲面を形成してなる屈曲管部（７）と、該屈曲管部（７）から直下方向に向かって配管された縦管部（９ａ）を介して床下配管に接続されてなる。
尚、傾斜管部（６）は、清掃口（８）から排出口（４）に向けて下り傾斜を備えて構成した管体であって、本実施例では第１傾斜管部（６ｂ）及び第２傾斜管部（６ｃ）を構成してなる。
上記のように構成された排水配管において、シンク内に排水が行われると、排水は排水トラップ部（１）の清掃口（８）から、折れ部分（１０）を有する第一傾斜管部（６ｂ）、排出口（４）、第二傾斜管部（６ｃ）、屈曲管部（７）、縦管部（９ａ）を介して、床下配管より最終的に下水などに排出される。また下水管からの臭気や害虫類は、封水部（５）に蓄えられた封水によってその進路を遮断されるため、屋内側に進入することはない。
【００１５】
また、上記実施例の排水配管において、第二傾斜管部（６ｃ）や屈曲管部（７）に管詰まりが発生した場合、キャップ体（１１）をトラップ本体部（２）から着脱し、清掃口（８）を開口して、清掃口（８）から第一傾斜管部（６ｂ）を介しカンツール法のコイル線や、高圧洗浄法の高圧洗浄管などの清掃部材（Ｓ）を挿通させることで、管詰まりの原因物質に到達することができ、容易に管詰まりを解消することができる。また、上記第一実施例の排水配管において、縦管部（９ａ）に管詰まりが発生した場合、図３に示したように、まず清掃口（８）の下端から、清掃部材（Ｓ）を水平方向に向かって挿通させ、清掃部材（Ｓ）の先端を傾斜管部上面（６ａ）に当接させる。次に清掃部材（Ｓ）を押し込みつつ、傾斜管部上面（６ａ）に沿って清掃部材（Ｓ）の先端を滑らせて屈曲管部（７）の上流側の端部まで到達させる。更に清掃部材（Ｓ）を押し込むと、清掃部材（Ｓ）は屈曲管部（７）の外周側内面に沿って滑らかに縦管部（９ａ）の方向に方向を変換される。その後清掃部材（Ｓ）を更に押し込んでその先端を管詰まりの原因物質まで到達させることで、縦管部（９ａ）中の管詰まりの原因物質に到達することができ、容易に管詰まりを解消することができる。
【００１６】
また、上記各実施例においては、屈曲管部（７）の下流側の方向を全て直下方向としているが、図４乃至図５に示した実施例のように、屈曲管部（７）の曲がり方向を水平方向とし、更に該屈曲管部（７）と、キャビネット（Ｋ）の側面に沿って床下配管に連通して配設された縦管部（９ｂ）とを連通する、ほぼ水平に配管された横管部（９ｂ）を備えて構成しても良い。この場合、図５に示したように、清掃部材（Ｓ）は横管部（９ｂ）の下流側端部までしか到達し得ないが、これは従来の排水配管と同様であり、従来例と比べて機能的な損失は生じない。他方、各部材は横管部（９ｂ）を除き、屈曲管部（７）の曲がり方向を直下方向とした場合と全て共通で使用することができるため、全ての配管において部材の共有化を行うことができ、部材の種類が多様化し、部材管理が煩雑になることがなく、また量産効果によって商品を安価に提供することができる。
【図面の簡単な説明】
【００１７】
【図１】本発明の実施例の施工した状態を示す断面図である。
【図２】本発明の実施例の排水トラップ部近傍の拡大断面図である。
【図３】本発明の実施例の、清掃口から清掃部材を用いて管詰まりを解決する方法を示した参考図である。
【図４】本発明の、屈曲管部の下流側を水平方向とした実施例の施工した状態を示す断面図である。
【図５】本発明の、屈曲管部の下流側を水平方向とした実施例の、清掃口から清掃部材を用いて管詰まりを解決する方法を示した参考図である。
【図６】従来の排水配管を示す断面図である。
【図７】従来の、デッドスペースを減少させた排水配管を示す断面図である。
【図８】図７の従来例の、問題点を示す参考図である。
【符号の説明】
【００１８】
１    排水トラップ部
２    トラップ本体部
３    排水口
４    排出口
５    封水部 
５ａ  封水形成部
６    傾斜管部 
６ａ  傾斜管部上壁
６ｂ  第一傾斜管部
６ｃ  第二傾斜管部
７    屈曲管部
８    清掃口
９ａ  縦管部
９ｂ  横管部
１０  折れ部分
１１  キャップ体
Ｋ    キャビネット
Ｎ    流し台
Ｓ    清掃部材
【図１】
2005002792.tif 000003
【図２】
2005002792.tif 000004
【図３】
2005002792.tif 000005
【図４】
2005002792.tif 000006
【図５】
2005002792.tif 000007
【図６】
2005002792.tif 000008
【図７】
2005002792.tif 000009
【図８】
2005002792.tif 000010